(57)【要約】【課題】持ち運びに利便性が高いバッグ形式の携帯広告具であって、ＬＥＤテープライトＴＬを内蔵した、斬新で目立つようにした携帯広告具１００を提供することである。【解決手段】手提げ部ｈが付いた広告バッグ１０並びに組箱１５と複数のＬＥＤテープライトＴＬと携帯バッテリーＰＢとＵＳＢケーブルＵＣとからなるＬＥＤ内照装置２０から構成される携帯広告具１００において、複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、広告バッグ１０の正面に広告画像ＫＧを表示した広告表示部５が設置され、ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００。【選択図】図１
2018063410.tif 000002
【特許請求の範囲】
【請求項１】
手提げ部ｈが付いた広告バッグ１０並びに組箱１５と複数のＬＥＤテープライトＴＬと携帯バッテリーＰＢとＵＳＢケーブルＵＣとからなるＬＥＤ内照装置２０から構成される携帯広告具１００において、複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、広告バッグ１０の正面に広告画像ＫＧを表示した広告表示部５が設置され、ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００。
【請求項２】
組箱１５が紙製であることを特徴とする請求項１に記載された携帯広告具１００。
【請求項３】
広告表示部５に電照フィルムＥＦが貼付されてなり、電照フィルムＥＦに広告画像ＫＧが表示されてなることを特徴とする請求項１〜２の何れかに記載された携帯広告具１００。
【請求項４】
広告表示部５が光を透過するシート部から構成されることを特徴とする請求項１〜３の何れかに記載された携帯広告具１００。
【請求項５】
組箱１５の正面に、光拡散シートＨＳを設けてなることを特徴とする請求項１〜４の何れかに記載された携帯広告具１００。
【請求項６】
組箱１５の内側面にシルバー張りをされてなることを特徴とする請求項１〜５の何れかに記載された携帯広告具１００。
【請求項７】
広告バッグ１０の上面部に、光漏れ防止カバーｌｃが設置されてなることを特徴とする請求項１〜５の何れかに記載された携帯広告具１００。
【発明の詳細な説明】
【技術分野】
【０００１】
本発明は、携帯広告具に関する。
【背景技術】
【０００２】
従来の広告具は、重量が重くて持ち運びが困難であったので、特に軽量で持ち運ぶ際に人に極力負担がかからないようにするという広告具の出現が期待されていた。
【発明の開示】
【０００３】
発明者は、かかる従来技術の欠点に鑑み鋭意研究した結果、本願発明を完成させた。
【先行技術文献】
【特許文献】
【０００４】
本願発明に係る携帯広告具について、ＦＩ、キーワード検索を行ったところ、本件発明（請求項１〜７の何れかにに記載された携帯広告具）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
持ち運びに利便性が高いバッグ形式の携帯広告具であって、ＬＥＤテープライトを内蔵した、斬新で目立つようにした携帯広告具を提供することである。
○本発明が解決しようとする第２課題
本発明が解決しようとする第２課題は、
特に軽量で持ち運ぶ際に人に極力負担がかからないようにし、ＬＥＤテープライトを内蔵した、斬新で目立つようにした携帯広告具を提供することである。
○本発明が解決しようとする第３課題
本発明が解決しようとする第３課題は、
長期使用しても汚れない、ＬＥＤテープライトを内蔵した、斬新で目立つようにした携帯広告具を提供することである。
○本発明が解決しようとする第４課題
本発明が解決しようとする第４課題は、
ＬＥＤテープライトの陰影を消すようにした、ＬＥＤテープライトを内蔵した、斬新で目立つようにした携帯広告具を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○広告バッグ１０とは、正面部、背面部、左側面部、右側面部、上面部、底面部からなる手提げ部ｈが付いた宣伝広告用のバッグをいう。
○組箱１５とは、特別な形状に繰り抜き折り曲げて製作された箱である。一般的には糊貼りを伴わないで形成される。
そして、側面が折り返して形成されるので、剛性が大きいことが特徴である。組箱１５（額あり）は、額がある分強度もあるので重ねても潰れないという特徴がある。
○ＬＥＤテープライトＴＬとは、テープ上の基盤にＬＥＤが一定間隔で配置されている照明器具のことをいう。テープの幅は一般には約１ｃｍ程であり、ＬＥＤは、通常の照明器具と違い熱を持ちにくく、省エネにより携帯バッテリーＰＢが軽量化及び電力供給時間の長期化が図れるという特徴がある。色も白の他、赤青黄等色々の色を選択できる。
ＬＥＤテープライトＴＬの電源は、一般のコンピューターの電源と仕様が同じであり、本発明においては、ＬＥＤテープライトＴＬは携帯バッテリーＰＢとＵＳＢケーブルＵＣによって接続されてなる。
ここに、ＵＳＢとは、Ｕｎｉｖｅｒｓａｌ  Ｓｅｒｉａｌ  Ｂｕｓの略であり、シリアル転送方式のインターフェースの規格のことをいう。デジタルカメラとプリンタなどの周辺機器を簡単に接続する。それまでのＳＣＳＩのようにパソコンの電源をいちいち切らずに抜き差しできるのが特徴である（ホットプラグという）。すなわち、接続する周辺機器へパソコンから電源を供給する役割（バスパワー）まで果たしている。
○携帯バッテリーＰＢとは、持ち運びができるバッテリーのことをいい、充電して繰り返し使える充電式リチウムイオンバッテリーを内蔵したタイプと、乾電池を入れ替えて使用する乾電池タイプとがある。
○ＵＳＢケーブルＵＣとは、シリアル転送方式のひとつであるＵＳＢ規格の機器を接続するためのケーブル。電源からの電力も供給できる。デジタルカメラとパソコン、あるいはプリンタを接続するときにも使用されていることが特徴である。  
○ＵＳＢハブとは、ＵＳＢ規格の複数のネットワーク機器を接続する装置をいう。本発明では、複数のＬＥＤテープライトＴＬと携帯バッテリーＰＢとをＵＳＢケーブルＵＣによって並列に接続するための装置をいう。
○並列に接続されてなりとは、複数のＬＥＤテープライトＴＬを平面的に配置するために、複数のＬＥＤテープライトＴＬを並行に並べておき、これら複数のＬＥＤテープライトＴＬがＵＳＢケーブルＵＣとＵＳＢハブとによって携帯バッテリーＰＢと並列に接続されることをいう（図６を参照）。
○広告表示部５とは、広告バッグ１０の正面に設置された、ＬＥＤテープライトＴＬの光による光を透過するシート部をいう。
広告表示部５の広告画像ＫＧを照らすことによって、広告画像ＫＧを表示することを特徴とする携帯広告具１００である。
○広告画像ＫＧとは、宣伝広告するための文字、記号、図形等からなる画像をいう。広告画像ＫＧは、広告表示部５に表示される。ＬＥＤテープライトＴＬの光によって、広告表示部５の広告画像ＫＧを照らすことによって、広告画像ＫＧを表示することができる。
広告画像ＫＧは、広告表示部５に表示される態様として、例えば、広告表示部５に電照フィルムＥＦが貼付されてなり、電照フィルムＥＦに広告画像ＫＧが表示されてなることが例示される。
○ＬＥＤ内照装置２０とは、組箱１５と複数のＬＥＤテープライトＴＬと携帯バッテリーＰＢとＵＳＢケーブルＵＣとから構成される内照式の装置をいう。
ここに、内照式とは、広告画像ＫＧの内側にＬＥＤ照明装置を取り付け内側から光らせる方式をいう。
○携帯広告具１００とは、広告バッグ１０とＬＥＤ内照装置２０から構成される持ち運びができる広告具をいう。
○組箱１５が紙製であることという構成要件により、特に軽量で持ち運ぶ際に人に極力負担がかからないようにするという発明課題を達成することができた。
すなわち、従来の広告具は、重量が重くて持ち運びが困難であったが、特に軽量で持ち運ぶ際に人に極力負担がかからないようにするという発明課題を達成することができた。
○光拡散シートＨＳとは、微小でランダムなレンズアレイの拡散機能により光を拡散整形し、照明ムラを解消し、眩しさや、マルチシャドーの低減にも効果を発揮する光学シートをいう。必要な範囲にだけ光を配光できるので効率的な照明を実現できる。ＲＧＢ各色のＬＥＤ光をきれいでクリアなまま混色できる。
幅広い波長の光（４００ｎｍ〜１１００ｎｍ）に対応しているため、光を狙った角度に均質に透過させることができる。ポリカーボネイトやアクリルのシート上にミクロンサイズのレンズが完全にランダムな状態に配置されている。
そのため、光源の輝度ムラを完全に消し去りつつ、任意の角度に拡散する均質度の高い光を得ることができる。
また、その透過率は大変高いため（８５〜９２％）、光源の光を無駄にすることなく利用することが可能である。
主な用途は高品質な一般照明や産業用光源装置などであるが、その他の照明にも幅広く応用することができる。
○シルバー貼りとは、銀紙を貼ることをいう。
○手提げ部ｈとは、手で持つために広告バッグ１０の上面部に取付けた部分をいう。
＜携帯バッテリーＰＢと複数のＬＥＤテープライトＴＬが接続される模式図の説明＞
以下、図６等を参照すると共に、携帯バッテリーＰＢと複数のＬＥＤテープライトＴＬが接続される模式図について説明をする。
携帯バッテリーＰＢとＵＳＢハブＵＨとは、スイッチＳＷを介してＵＳＢケーブルＵＣによって接続される。ＵＳＢハブＵＨと複数のＬＥＤテープライトＴＬは、ＵＳＢケーブルＵＣによって並列に接続される。
ＵＳＢハブＵＨから分配された複数の、ＵＳＢケーブルＵＣの束は、一般には、組箱１５の上面に設けられた配電口を通って、組箱１５の背面部に上下に並べられた複数のＬＥＤテープライトＴＬと並列に接続される（ただし、これに限定されるものではない。）。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
手提げ部ｈが付いた広告バッグ１０並びに組箱１５と複数のＬＥＤテープライトＴＬと携帯バッテリーＰＢとＵＳＢケーブルＵＣとからなるＬＥＤ内照装置２０から構成される携帯広告具１００において、複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、広告バッグ１０の正面に広告画像ＫＧを表示した広告表示部５が設置され、ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００である。
ここに、上下とは、図２、図４、図６の紙面視上下方向をいう。
○第２の発明（請求項２に記載の発明）
上記の課題を解決するための第２の発明（請求項２に記載の発明）は、
組箱１５が紙製であることを特徴とする請求項１に記載された携帯広告具１００である。
○第３の発明（請求項３に記載の発明）
上記の課題を解決するための第３の発明（請求項３に記載の発明）は、
広告表示部５に電照フィルムＥＦが貼付されてなり、電照フィルムＥＦに広告画像ＫＧが表示されてなることを特徴とする請求項１〜２の何れかに記載された携帯広告具１００である。
○第４の発明（請求項４に記載の発明）
上記の課題を解決するための第４の発明（請求項４に記載の発明）は、
広告表示部５が光を透過するシート部から構成されることを特徴とする請求項１〜３の何れかに記載された携帯広告具１００である。
○第５の発明（請求項５に記載の発明）
上記の課題を解決するための第５の発明（請求項５に記載の発明）は、
組箱１５の正面に、光拡散シートＨＳを設けてなることを特徴とする請求項１〜４の何れかに記載された携帯広告具１００である。
○第６の発明（請求項６に記載の発明）
組箱１５の内側面にシルバー張りをされてなることを特徴とする請求項１〜５の何れかに記載された携帯広告具１００である。
○第７の発明（請求項７に記載の発明）
広告バッグ１０の上面部に、光漏れ防止カバーｌｃが設置されてなることを特徴とする請求項１〜５の何れかに記載された携帯広告具１００である。
ここに、広告バッグ１０の上面部は、解放したままであると、広告バッグ１０の中から光が漏れるから、これを防ぐために光漏れ防止カバーｌｃが設置されてなる。
【発明の効果】
【０００７】
本発明に係る、携帯広告具１００は、上記のような特徴的構成要件から構成され、特徴的構成要件に応じた、以下のような本願発明特有の効果を奏する。
また、上記の各発明に応じた、上記のような特徴的構成要件から構成された携帯広告具１００によれば、本願発明の課題を十分解消することができた。
○第１の発明の効果
第１の発明によれば、
手提げ部ｈが付いた広告バッグ１０並びに組箱１５と複数のＬＥＤテープライトＴＬと携帯バッテリーＰＢとＵＳＢケーブルＵＣとからなるＬＥＤ内照装置２０から構成される携帯広告具１００において、複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、広告バッグ１０の正面に広告画像ＫＧを表示した広告表示部５が設置され、ＬＥＤ内照装置２０が広告バッグ１０に内蔵されて、ＬＥＤテープライトＴＬの光によって、広告表示部５の広告画像ＫＧを照らすことによって、広告画像ＫＧを表示することという特徴的な構成要件により、本発明が解決しようとする第１課題〜第４課題を達成することができ、当業者予測不可能な顕著な効果を奏することができた。
○第２の発明の効果
第２の発明によれば、
組箱１５が紙製であることという特徴的な構成要件により、本発明が解決しようとする第１課題〜第４課題を達成することができ、当業者予測不可能な顕著な効果を奏することができた。
○第３の発明の効果
第３の発明によれば、
広告表示部５に電照フィルムＥＦが貼付されてなり、電照フィルムＥＦに広告画像ＫＧが表示されてなることという特徴的な構成要件により、本発明が解決しようとする第１課題〜第４課題を達成することができ、当業者予測不可能な顕著な効果を奏することができた。
○第４の発明の効果
第４の発明によれば、
広告表示部５が光を透過するシート部から構成されることという特徴的な構成要件により、本発明が解決しようとする第１課題〜第４課題を達成することができ、当業者予測不可能な顕著な効果を奏することができた。
○第５の発明の効果
第５の発明によれば、
ＬＥＤ内照装置２０と正面部１の間に、光拡散シートＨＳを設けてなることという特徴的な構成要件により、本発明が解決しようとする第１課題〜第４課題を達成することができ、当業者予測不可能な顕著な効果を奏することができた。
○第６の発明の効果
第６の発明によれば、
組箱１５の内側面にシルバー張りをされてなることという特徴的な構成要件により、本発明が解決しようとする第１課題〜第４課題を達成することができ、当業者予測不可能な顕著な効果を奏することができた。
○第７の発明の効果
第７の発明によれば、
広告バッグ１０の上面部に、光漏れ防止カバーｌｃが設置されてなることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、携帯広告具１００に関する最良の実施形態について、図面を参照しながら説明する。
［図１］図１（Ａ）図は、本発明に係る携帯広告具１００の斜視図を表す。図１（Ｂ）図は、広告バッグ１０の斜視図を表す。図１（Ｃ）図は、ＬＥＤ内照装置２０の斜視図を表す。図１（Ｂ）図の矢印は、ＬＥＤ内照装置２０を広告バッグ１０に内蔵することを表している。
［図２］図２（Ａ）図は、本発明に係る携帯広告具１００の正面図を表す。図２（Ｂ）図は、本発明に係る携帯広告具１００の右側面図を表す。携帯広告具１００の左側面図は、本発明に係る携帯広告具１００の右側面と対象に表れるので省略する。図２（Ｃ）図は、ＬＥＤ内照装置２０の正面図を表す。
［図３］図３（Ａ）図は、広告バッグ１０の正面図を表す。図３（Ｂ）図は、広告バッグ１０の右側面図を表す。広告バッグ１０の左側面図は、広告バッグ１０の右側面と対象に表れるので省略する。図３（Ｃ）図は、ＬＥＤ内照装置２０の正面図を表す。ここに、組箱１５の正面に、光拡散シートＨＳを設けてなるＬＥＤ内照装置２０を表している。図３（Ｄ）図は、広告バッグ１０の背面図を表す。
［図４］図４（Ａ）図は、ＬＥＤ内照装置２０の正面図を表す。ここに、組箱１５の正面に、光拡散シートＨＳを設けてないＬＥＤ内照装置２０を表している。図４（Ｂ）図は、ＬＥＤ内照装置２０の右側面図を表す。ＬＥＤ内照装置２０の左側面図は、ＬＥＤ内照装置２０の右側面と対象に表れるので省略する。図４（Ｃ）図は、ＬＥＤ内照装置２０の斜視図を表す。
［図５］図５（Ａ）図は、光拡散シートＨＳの斜視図を表す。ここに、図の矢印は、光拡散シートＨＳが組箱１５の額に貼付される方向を表す。図５（Ｂ）図は、ＬＥＤ内照装置２０を構成する複数のＬＥＤテープライトＴＬと組箱１５（複数数のＬＥＤテープライトＴＬが組箱１５の背面部に上下に並べて設置されている。）の斜視図を表す。
［図６］図６は、携帯バッテリーＰＢと複数のＬＥＤテープライトＴＬが接続される模式図を表す。
以下、本発明に係る、携帯広告具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
手提げ部ｈが付いた広告バッグ１０並びに組箱１５と複数のＬＥＤテープライトＴＬと携帯バッテリーＰＢとＵＳＢケーブルＵＣとからなるＬＥＤ内照装置２０から構成される携帯広告具１００において、複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、広告バッグ１０の正面に広告画像ＫＧを表示した広告表示部５が設置され、ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００が開示されている。
○第１の発明の効果
第１の発明によれば、
手提げ部ｈが付いた広告バッグ１０並びに組箱１５と複数のＬＥＤテープライトＴＬと携帯バッテリーＰＢとＵＳＢケーブルＵＣとからなるＬＥＤ内照装置２０から構成される携帯広告具１００において、複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、広告バッグ１０の正面に広告画像ＫＧを表示した広告表示部５が設置され、ＬＥＤ内照装置２０が広告バッグ１０に内蔵されて、ＬＥＤテープライトＴＬの光によって、広告表示部５の広告画像ＫＧを照らすことによって、広告画像ＫＧを表示することという特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
背面部２、左側面部３、右側面部４、上面部５、底面部６が紙製であることを特徴とする請求項１に記載された携帯広告具１００が開示されている。
○第２の発明の効果
第２の発明によれば、
組箱１５が紙製であることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告表示部５に電照フィルムＥＦが貼付されてなり、電照フィルムＥＦに広告画像ＫＧが表示されてなることを特徴とする請求項１〜２の何れかに記載された携帯広告具１００が開示されている。
○第３の発明の効果
第３の発明によれば、
広告表示部５に電照フィルムＥＦが貼付されてなり、電照フィルムＥＦに広告画像ＫＧが表示されてなることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告表示部５が光を透過するシート部から構成されることを特徴とする請求項１〜３の何れかに記載された携帯広告具１００が開示されている。
○第４の発明の効果
第４の発明によれば、
広告表示部５が光を透過するシート部から構成されることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
組箱１５の正面に、光拡散シートＨＳを設けてなることを特徴とする請求項１〜４の何れかに記載された携帯広告具１００が開示されている。
○第５の発明の効果
第５の発明によれば、
組箱１５の正面に、光拡散シートＨＳを設けてなることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
組箱１５の内側面にシルバー張りをされてなることを特徴とする請求項１〜５の何れかに記載された携帯広告具１００が開示されている。
○第６の発明の効果
第６の発明によれば、
組箱１５の内側面にシルバー張りをされてなることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告バッグ１０の上面部に、光漏れ防止カバーｌｃが設置されてなることを特徴とする請求項１〜５の何れかに記載された携帯広告具１００が開示されている。
○第７の発明の効果
第７の発明によれば、
広告バッグ１０の上面部に、光漏れ防止カバーｌｃが設置されてなることという特徴的な構成要件により、本発明が解決しようとする第１課題〜第４課題を達成することができ、当業者予測不可能な顕著な効果を奏することができた。
【図面の簡単な説明】
【０００９】
【図１】図１（Ａ）図は、本発明に係る携帯広告具１００の斜視図を表す。図１（Ｂ）図は、広告バッグ１０の斜視図を表す。図１（Ｃ）図は、ＬＥＤ内照装置２０の斜視図を表す。図１（Ｂ）図の矢印は、ＬＥＤ内照装置２０を広告バッグ１０に内蔵することを表している。
【図２】図２（Ａ）図は、本発明に係る携帯広告具１００の正面図を表す。図２（Ｂ）図は、本発明に係る携帯広告具１００の右側面図を表す。携帯広告具１００の左側面図は、本発明に係る携帯広告具１００の右側面と対象に表れるので省略する。図２（Ｃ）図は、ＬＥＤ内照装置２０の正面図を表す。
【図３】図３（Ａ）図は、広告バッグ１０の正面図を表す。図３（Ｂ）図は、広告バッグ１０の右側面図を表す。広告バッグ１０の左側面図は、広告バッグ１０の右側面と対象に表れるので省略する。図３（Ｃ）図は、ＬＥＤ内照装置２０の正面図を表す。ここに、組箱１５の正面に、光拡散シートＨＳを設けてなるＬＥＤ内照装置２０を表している。図３（Ｄ）図は、広告バッグ１０の背面図を表す。
【図４】図４（Ａ）図は、ＬＥＤ内照装置２０の正面図を表す。ここに、組箱１５の正面に、光拡散シートＨＳを設けてないＬＥＤ内照装置２０を表している。図４（Ｂ）図は、ＬＥＤ内照装置２０の右側面図を表す。ＬＥＤ内照装置２０の左側面図は、ＬＥＤ内照装置２０の右側面と対象に表れるので省略する。図４（Ｃ）図は、ＬＥＤ内照装置２０の斜視図を表す。
【図５】図５（Ａ）図は、光拡散シートＨＳの斜視図を表す。ここに、図の矢印は、光拡散シートＨＳが組箱１５の額に貼付される方向を表す。図５（Ｂ）図は、ＬＥＤ内照装置２０を構成する複数のＬＥＤテープライトＴＬと組箱１５（複数数のＬＥＤテープライトＴＬが組箱１５の背面部に上下に並べて設置されている。）の斜視図を表す。
【図６】図６は、携帯バッテリーＰＢと複数のＬＥＤテープライトＴＬが接続される模式図を表す。
【符号の説明】
【００１０】
ｈ……手提げ部
１０……広告バッグ
１５……組箱
ＴＬ……ＬＥＤテープライト
ＰＢ……携帯バッテリー
ＵＣ……ＵＳＢケーブル
２０……ＬＥＤ内照装置
１００……携帯広告具
ＫＧ……広告画像
５……広告表示部
ＥＦ……電照フィルム
ＨＳ……光拡散シート
ｌｃ……光漏れ防止カバー
【図１】
2018063410.tif 000003
【図２】
2018063410.tif 000004
【図３】
2018063410.tif 000005
【図４】
2018063410.tif 000006
【図５】
2018063410.tif 000007
【図６】
2018063410.tif 000008
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００。
【請求項２】
組箱１５が紙製であることを特徴とする請求項１に記載された携帯広告具１００。
【請求項３】
広告表示部５に電照フィルムＥＦが貼付されてなり、電照フィルムＥＦに広告画像ＫＧが表示されてなることを特徴とする請求項１〜２の何れかに記載された携帯広告具１００。
【請求項４】
広告表示部５が光を透過するシート部から構成されることを特徴とする請求項１〜３の何れかに記載された携帯広告具１００。
【請求項５】
組箱１５の正面に、光拡散シートＨＳを設けてなることを特徴とする請求項１〜４の何れかに記載された携帯広告具１００。
【請求項６】
組箱１５の内側面にシルバー張りをされてなることを特徴とする請求項１〜５の何れかに記載された携帯広告具１００。
【請求項７】
広告バッグ１０の上面部に、光漏れ防止カバーｌｃが設置されてなることを特徴とする請求項１〜６の何れかに記載された携帯広告具１００。
【手続補正２】
【補正対象書類名】明細書
【補正対象項目名】全文
【補正方法】変更
【補正の内容】
【発明の詳細な説明】
【技術分野】
【０００１】
本発明は、携帯広告具に関する。
【背景技術】
【０００２】
従来の広告具は、重量が重くて持ち運びが困難であったので、特に軽量で持ち運ぶ際に人に極力負担がかからないようにするという広告具の出現が期待されていた。
【発明の開示】
【０００３】
発明者は、かかる従来技術の欠点に鑑み鋭意研究した結果、本願発明を完成させた。
【先行技術文献】
【特許文献】
【０００４】
本願発明に係る携帯広告具について、ＦＩ、キーワード検索を行ったところ、本件発明（請求項１〜７の何れかにに記載された携帯広告具）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
持ち運びに利便性が高いバッグ形式の携帯広告具であって、ＬＥＤテープライトを内蔵した、斬新で目立つようにした携帯広告具を提供することである。
○本発明が解決しようとする第２課題
本発明が解決しようとする第２課題は、
持ち運びに利便性が高いバッグ形式の携帯広告具であって、特に軽量で持ち運ぶ際に人に極力負担がかからないようにし、ＬＥＤテープライトを内蔵した、斬新で目立つようにした携帯広告具を提供することである。
○本発明が解決しようとする第３課題
本発明が解決しようとする第３課題は、
持ち運びに利便性が高いバッグ形式の携帯広告具であって、長期使用しても汚れない、ＬＥＤテープライトを内蔵した、斬新で目立つようにした携帯広告具を提供することである。
○本発明が解決しようとする第４課題
本発明が解決しようとする第４課題は、
持ち運びに利便性が高いバッグ形式の携帯広告具であって、ＬＥＤテープライトの陰影を消すようにした、ＬＥＤテープライトを内蔵した、斬新で目立つようにした携帯広告具を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○広告バッグ１０とは、正面部、背面部、左側面部、右側面部、上面部、底面部からなる手提げ部ｈが付いた宣伝広告用のバッグをいう。
○組箱１５とは、特別な形状に繰り抜き折り曲げて製作された箱である。一般的には糊貼りを伴わないで形成される。
そして、側面が折り返して形成されるので、剛性が大きいことが特徴である。組箱１５（額あり）は、額がある分強度もあるので重ねても潰れないという特徴がある。
○ＬＥＤテープライトＴＬとは、テープ上の基盤にＬＥＤが一定間隔で配置されている照明器具のことをいう。テープの幅は一般には約１ｃｍ程であり、ＬＥＤは、通常の照明器具と違い熱を持ちにくく、省エネにより携帯バッテリーＰＢが軽量化及び電力供給時間の長期化が図れるという特徴がある。色も白の他、赤青黄等色々の色を選択できる。
ＬＥＤテープライトＴＬの電源は、一般のコンピューターの電源と仕様が同じであり、本発明においては、ＬＥＤテープライトＴＬは携帯バッテリーＰＢとＵＳＢケーブルＵＣによって接続されてなる。
ここに、ＵＳＢとは、Ｕｎｉｖｅｒｓａｌ  Ｓｅｒｉａｌ  Ｂｕｓの略であり、シリアル転送方式のインターフェースの規格のことをいう。デジタルカメラとプリンタなどの周辺機器を簡単に接続する。それまでのＳＣＳＩのようにパソコンの電源をいちいち切らずに抜き差しできるのが特徴である（ホットプラグという）。すなわち、接続する周辺機器へパソコンから電源を供給する役割（バスパワー）まで果たしている。
○携帯バッテリーＰＢとは、持ち運びができるバッテリーのことをいい、充電して繰り返し使える充電式リチウムイオンバッテリーを内蔵したタイプと、乾電池を入れ替えて使用する乾電池タイプとがある。
○ＵＳＢケーブルＵＣとは、シリアル転送方式のひとつであるＵＳＢ規格の機器を接続するためのケーブル。電源からの電力も供給できる。デジタルカメラとパソコン、あるいはプリンタを接続するときにも使用されていることが特徴である。  
○ＵＳＢハブとは、ＵＳＢ規格の複数のネットワーク機器を接続する装置をいう。本発明では、複数のＬＥＤテープライトＴＬと携帯バッテリーＰＢとをＵＳＢケーブルＵＣによって並列に接続するための装置をいう。
○並列に接続されてなりとは、複数のＬＥＤテープライトＴＬを平面的に配置するために、複数のＬＥＤテープライトＴＬを並行に並べておき、これら複数のＬＥＤテープライトＴＬがＵＳＢケーブルＵＣとＵＳＢハブとによって携帯バッテリーＰＢと並列に接続されることをいう（図６を参照）。
○広告表示部５とは、広告バッグ１０の正面に設置された、ＬＥＤテープライトＴＬの光による光を透過するシート部をいう。
広告表示部５の広告画像ＫＧを照らすことによって、広告画像ＫＧを表示することを特徴とする携帯広告具１００である。
○広告画像ＫＧとは、宣伝広告するための文字、記号、図形等からなる画像をいう。広告画像ＫＧは、広告表示部５に表示される。ＬＥＤテープライトＴＬの光によって、広告表示部５の広告画像ＫＧを照らすことによって、広告画像ＫＧを表示することができる。
広告画像ＫＧは、広告表示部５に表示される態様として、例えば、広告表示部５に電照フィルムＥＦが貼付されてなり、電照フィルムＥＦに広告画像ＫＧが表示されてなることが例示される。
○ＬＥＤ内照装置２０とは、組箱１５と複数のＬＥＤテープライトＴＬと携帯バッテリーＰＢとＵＳＢケーブルＵＣとから構成される内照式の装置をいう。
ここに、内照式とは、広告画像ＫＧの内側にＬＥＤ照明装置を取り付け内側から光らせる方式をいう。
○携帯広告具１００とは、広告バッグ１０とＬＥＤ内照装置２０から構成される持ち運びができる広告具をいう。
○組箱１５が紙製であることという構成要件により、特に軽量で持ち運ぶ際に人に極力負担がかからないようにするという発明課題を達成することができた。
すなわち、従来の広告具は、重量が重くて持ち運びが困難であったが、特に軽量で持ち運ぶ際に人に極力負担がかからないようにするという発明課題を達成することができた。
○光拡散シートＨＳとは、微小でランダムなレンズアレイの拡散機能により光を拡散整形し、照明ムラを解消し、眩しさや、マルチシャドーの低減にも効果を発揮する光学シートをいう。必要な範囲にだけ光を配光できるので効率的な照明を実現できる。ＲＧＢ各色のＬＥＤ光をきれいでクリアなまま混色できる。
幅広い波長の光（４００ｎｍ〜１１００ｎｍ）に対応しているため、光を狙った角度に均質に透過させることができる。ポリカーボネイトやアクリルのシート上にミクロンサイズのレンズが完全にランダムな状態に配置されている。
そのため、光源の輝度ムラを完全に消し去りつつ、任意の角度に拡散する均質度の高い光を得ることができる。
また、その透過率は大変高いため（８５〜９２％）、光源の光を無駄にすることなく利用することが可能である。
主な用途は高品質な一般照明や産業用光源装置などであるが、その他の照明にも幅広く応用することができる。
○シルバー貼りとは、銀紙を貼ることをいう。
○手提げ部ｈとは、手で持つために広告バッグ１０の上面部に取付けた部分をいう。
＜携帯バッテリーＰＢと複数のＬＥＤテープライトＴＬが接続される模式図の説明＞
以下、図６等を参照すると共に、携帯バッテリーＰＢと複数のＬＥＤテープライトＴＬが接続される模式図について説明をする。
携帯バッテリーＰＢとＵＳＢハブＵＨとは、スイッチＳＷを介してＵＳＢケーブルＵＣによって接続される。ＵＳＢハブＵＨと複数のＬＥＤテープライトＴＬは、ＵＳＢケーブルＵＣによって並列に接続される。
ＵＳＢハブＵＨから分配された複数の、ＵＳＢケーブルＵＣの束は、一般には、組箱１５の上面に設けられた配電口を通って、組箱１５の背面部に上下に並べられた複数のＬＥＤテープライトＴＬと並列に接続される（ただし、これに限定されるものではない。）。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００である。
ここに、上下とは、図２、図４、図６の紙面視上下方向をいう。
○第２の発明（請求項２に記載の発明）
上記の課題を解決するための第２の発明（請求項２に記載の発明）は、
組箱１５が紙製であることを特徴とする請求項１に記載された携帯広告具１００である。
○第３の発明（請求項３に記載の発明）
上記の課題を解決するための第３の発明（請求項３に記載の発明）は、
広告表示部５に電照フィルムＥＦが貼付されてなり、電照フィルムＥＦに広告画像ＫＧが表示されてなることを特徴とする請求項１〜２の何れかに記載された携帯広告具１００である。
○第４の発明（請求項４に記載の発明）
上記の課題を解決するための第４の発明（請求項４に記載の発明）は、
広告表示部５が光を透過するシート部から構成されることを特徴とする請求項１〜３の何れかに記載された携帯広告具１００である。
○第５の発明（請求項５に記載の発明）
上記の課題を解決するための第５の発明（請求項５に記載の発明）は、
組箱１５の正面に、光拡散シートＨＳを設けてなることを特徴とする請求項１〜４の何れかに記載された携帯広告具１００である。
○第６の発明（請求項６に記載の発明）
組箱１５の内側面にシルバー張りをされてなることを特徴とする請求項１〜５の何れかに記載された携帯広告具１００である。
○第７の発明（請求項７に記載の発明）
広告バッグ１０の上面部に、光漏れ防止カバーｌｃが設置されてなることを特徴とする請求項１〜６の何れかに記載された携帯広告具１００である。
ここに、広告バッグ１０の上面部は、解放したままであると、広告バッグ１０の中から光が漏れるから、これを防ぐために光漏れ防止カバーｌｃが設置されてなる。
【発明の効果】
【０００７】
本発明に係る、携帯広告具１００は、上記のような特徴的構成要件から構成され、特徴的構成要件に応じた、以下のような本願発明特有の効果を奏する。
また、上記の各発明に応じた、上記のような特徴的構成要件から構成された携帯広告具１００によれば、本願発明の課題を十分解消することができた。
○第１の発明の効果
第１の発明によれば、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に内蔵されて、ＬＥＤテープライトＴＬの光によって、広告表示部５の広告画像ＫＧを照らすことによって、広告画像ＫＧを表示することという特徴的な構成要件により、本発明が解決しようとする第１課題〜第４課題を達成することができ、当業者予測不可能な顕著な効果を奏することができた。
○第２の発明の効果
第２の発明によれば、
組箱１５が紙製であることという特徴的な構成要件により、本発明が解決しようとする第１課題〜第４課題を達成することができ、当業者予測不可能な顕著な効果を奏することができた。
○第３の発明の効果
第３の発明によれば、
広告表示部５に電照フィルムＥＦが貼付されてなり、電照フィルムＥＦに広告画像ＫＧが表示されてなることという特徴的な構成要件により、本発明が解決しようとする第１課題〜第４課題を達成することができ、当業者予測不可能な顕著な効果を奏することができた。
○第４の発明の効果
第４の発明によれば、
広告表示部５が光を透過するシート部から構成されることという特徴的な構成要件により、本発明が解決しようとする第１課題〜第４課題を達成することができ、当業者予測不可能な顕著な効果を奏することができた。
○第５の発明の効果
第５の発明によれば、
ＬＥＤ内照装置２０と正面部１の間に、光拡散シートＨＳを設けてなることという特徴的な構成要件により、本発明が解決しようとする第１課題〜第４課題を達成することができ、当業者予測不可能な顕著な効果を奏することができた。
○第６の発明の効果
第６の発明によれば、
組箱１５の内側面にシルバー張りをされてなることという特徴的な構成要件により、本発明が解決しようとする第１課題〜第４課題を達成することができ、当業者予測不可能な顕著な効果を奏することができた。
○第７の発明の効果
第７の発明によれば、
広告バッグ１０の上面部に、光漏れ防止カバーｌｃが設置されてなることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、携帯広告具１００に関する最良の実施形態について、図面を参照しながら説明する。
［図１］図１（Ａ）図は、本発明に係る携帯広告具１００の斜視図を表す。図１（Ｂ）図は、広告バッグ１０の斜視図を表す。図１（Ｃ）図は、ＬＥＤ内照装置２０の斜視図を表す。図１（Ｂ）図の矢印は、ＬＥＤ内照装置２０を広告バッグ１０に内蔵することを表している。
［図２］図２（Ａ）図は、本発明に係る携帯広告具１００の正面図を表す。図２（Ｂ）図は、本発明に係る携帯広告具１００の右側面図を表す。携帯広告具１００の左側面図は、本発明に係る携帯広告具１００の右側面と対象に表れるので省略する。図２（Ｃ）図は、ＬＥＤ内照装置２０の正面図を表す。
［図３］図３（Ａ）図は、広告バッグ１０の正面図を表す。図３（Ｂ）図は、広告バッグ１０の右側面図を表す。広告バッグ１０の左側面図は、広告バッグ１０の右側面と対象に表れるので省略する。図３（Ｃ）図は、ＬＥＤ内照装置２０の正面図を表す。ここに、組箱１５の正面に、光拡散シートＨＳを設けてなるＬＥＤ内照装置２０を表している。図３（Ｄ）図は、広告バッグ１０の背面図を表す。
［図４］図４（Ａ）図は、ＬＥＤ内照装置２０の正面図を表す。ここに、組箱１５の正面に、光拡散シートＨＳを設けてないＬＥＤ内照装置２０を表している。図４（Ｂ）図は、ＬＥＤ内照装置２０の右側面図を表す。ＬＥＤ内照装置２０の左側面図は、ＬＥＤ内照装置２０の右側面と対象に表れるので省略する。図４（Ｃ）図は、ＬＥＤ内照装置２０の斜視図を表す。
［図５］図５（Ａ）図は、光拡散シートＨＳの斜視図を表す。ここに、図の矢印は、光拡散シートＨＳが組箱１５の額に貼付される方向を表す。図５（Ｂ）図は、ＬＥＤ内照装置２０を構成する複数のＬＥＤテープライトＴＬと組箱１５（複数数のＬＥＤテープライトＴＬが組箱１５の背面部に上下に並べて設置されている。）の斜視図を表す。
［図６］図６は、携帯バッテリーＰＢと複数のＬＥＤテープライトＴＬが接続される模式図を表す。
以下、本発明に係る、携帯広告具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に内蔵されて、ＬＥＤテープライトＴＬの光によって、広告表示部５の広告画像ＫＧを照らすことによって、広告画像ＫＧを表示することを特徴とする携帯広告具１００が開示されている。
○第１の発明の効果
第１の発明によれば、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に内蔵されて、ＬＥＤテープライトＴＬの光によって、広告表示部５の広告画像ＫＧを照らすことによって、広告画像ＫＧを表示することという特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
背面部２、左側面部３、右側面部４、上面部５、底面部６が紙製であることを特徴とする請求項１に記載された携帯広告具１００が開示されている。
○第２の発明の効果
第２の発明によれば、
組箱１５が紙製であることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告表示部５に電照フィルムＥＦが貼付されてなり、電照フィルムＥＦに広告画像ＫＧが表示されてなることを特徴とする請求項１〜２の何れかに記載された携帯広告具１００が開示されている。
○第３の発明の効果
第３の発明によれば、
広告表示部５に電照フィルムＥＦが貼付されてなり、電照フィルムＥＦに広告画像ＫＧが表示されてなることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告表示部５が光を透過するシート部から構成されることを特徴とする請求項１〜３の何れかに記載された携帯広告具１００が開示されている。
○第４の発明の効果
第４の発明によれば、
広告表示部５が光を透過するシート部から構成されることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
組箱１５の正面に、光拡散シートＨＳを設けてなることを特徴とする請求項１〜４の何れかに記載された携帯広告具１００が開示されている。
○第５の発明の効果
第５の発明によれば、
組箱１５の正面に、光拡散シートＨＳを設けてなることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
組箱１５の内側面にシルバー張りをされてなることを特徴とする請求項１〜５の何れかに記載された携帯広告具１００が開示されている。
○第６の発明の効果
第６の発明によれば、
組箱１５の内側面にシルバー張りをされてなることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告バッグ１０の上面部に、光漏れ防止カバーｌｃが設置されてなることを特徴とする請求項１〜６の何れかに記載された携帯広告具１００が開示されている。
○第７の発明の効果
第７の発明によれば、
広告バッグ１０の上面部に、光漏れ防止カバーｌｃが設置されてなることという特徴的な構成要件により、本発明が解決しようとする第１課題〜第４課題を達成することができ、当業者予測不可能な顕著な効果を奏することができた。
【図面の簡単な説明】
【０００９】
【図１】図１（Ａ）図は、本発明に係る携帯広告具１００の斜視図を表す。図１（Ｂ）図は、広告バッグ１０の斜視図を表す。図１（Ｃ）図は、ＬＥＤ内照装置２０の斜視図を表す。図１（Ｂ）図の矢印は、ＬＥＤ内照装置２０を広告バッグ１０に内蔵することを表している。
【図２】図２（Ａ）図は、本発明に係る携帯広告具１００の正面図を表す。図２（Ｂ）図は、本発明に係る携帯広告具１００の右側面図を表す。携帯広告具１００の左側面図は、本発明に係る携帯広告具１００の右側面と対象に表れるので省略する。図２（Ｃ）図は、ＬＥＤ内照装置２０の正面図を表す。
【図３】図３（Ａ）図は、広告バッグ１０の正面図を表す。図３（Ｂ）図は、広告バッグ１０の右側面図を表す。広告バッグ１０の左側面図は、広告バッグ１０の右側面と対象に表れるので省略する。図３（Ｃ）図は、ＬＥＤ内照装置２０の正面図を表す。ここに、組箱１５の正面に、光拡散シートＨＳを設けてなるＬＥＤ内照装置２０を表している。図３（Ｄ）図は、広告バッグ１０の背面図を表す。
【図４】図４（Ａ）図は、ＬＥＤ内照装置２０の正面図を表す。ここに、組箱１５の正面に、光拡散シートＨＳを設けてないＬＥＤ内照装置２０を表している。図４（Ｂ）図は、ＬＥＤ内照装置２０の右側面図を表す。ＬＥＤ内照装置２０の左側面図は、ＬＥＤ内照装置２０の右側面と対象に表れるので省略する。図４（Ｃ）図は、ＬＥＤ内照装置２０の斜視図を表す。
【図５】図５（Ａ）図は、光拡散シートＨＳの斜視図を表す。ここに、図の矢印は、光拡散シートＨＳが組箱１５の額に貼付される方向を表す。図５（Ｂ）図は、ＬＥＤ内照装置２０を構成する複数のＬＥＤテープライトＴＬと組箱１５（複数数のＬＥＤテープライトＴＬが組箱１５の背面部に上下に並べて設置されている。）の斜視図を表す。
【図６】図６は、携帯バッテリーＰＢと複数のＬＥＤテープライトＴＬが接続される模式図を表す。
【符号の説明】
【００１０】
ｈ……手提げ部
１０……広告バッグ
１５……組箱
ＴＬ……ＬＥＤテープライト
ＰＢ……携帯バッテリー
ＵＣ……ＵＳＢケーブル
２０……ＬＥＤ内照装置
１００……携帯広告具
ＫＧ……広告画像
５……広告表示部
ＥＦ……電照フィルム
ＨＳ……光拡散シート
ｌｃ……光漏れ防止カバー
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に収納されて、ＬＥＤテープライトＴＬの光によって、広告表示部５の広告画像ＫＧを照らすことによって、広告画像ＫＧを表示することを特徴とする携帯広告具１００。
【請求項２】
組箱１５が紙製であることを特徴とする請求項１に記載された携帯広告具１００。
【請求項３】
広告表示部５に電照フィルムＥＦが貼付されてなり、電照フィルムＥＦに広告画像ＫＧが表示されてなることを特徴とする請求項１〜２の何れかに記載された携帯広告具１００。
【請求項４】
広告表示部５が光を透過するシート部から構成されることを特徴とする請求項１〜３の何れかに記載された携帯広告具１００。
【請求項５】
組箱１５の正面に、光拡散シートＨＳを設けてなることを特徴とする請求項１〜４の何れかに記載された携帯広告具１００。
【請求項６】
組箱１５の内側面にシルバー張りをされてなることを特徴とする請求項１〜５の何れかに記載された携帯広告具１００。
【請求項７】
広告バッグ１０の上面部に、光漏れ防止カバーｌｃが設置されてなることを特徴とする請求項１〜６の何れかに記載された携帯広告具１００。
【手続補正２】
【補正対象書類名】明細書
【補正対象項目名】全文
【補正方法】変更
【補正の内容】
【発明の詳細な説明】
【技術分野】
【０００１】
本発明は、携帯広告具に関する。
【背景技術】
【０００２】
従来の広告具は、重量が重くて持ち運びが困難であったので、特に軽量で持ち運ぶ際に人に極力負担がかからないようにするという広告具の出現が期待されていた。
【発明の開示】
【０００３】
発明者は、かかる従来技術の欠点に鑑み鋭意研究した結果、本願発明を完成させた。
【先行技術文献】
【特許文献】
【０００４】
本願発明に係る携帯広告具について、ＦＩ、キーワード検索を行ったところ、本件発明（請求項１〜７の何れかに記載された携帯広告具）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
持ち運びに利便性が高いバッグ形式の携帯広告具であって、ＬＥＤテープライトを収納した、斬新で目立つようにした携帯広告具を提供することである。
○本発明が解決しようとする第２課題
本発明が解決しようとする第２課題は、
持ち運びに利便性が高いバッグ形式の携帯広告具であって、特に軽量で持ち運ぶ際に人に極力負担がかからないようにし、ＬＥＤテープライトを収納した、斬新で目立つようにした携帯広告具を提供することである。
○本発明が解決しようとする第３課題
本発明が解決しようとする第３課題は、
持ち運びに利便性が高いバッグ形式の携帯広告具であって、長期使用しても汚れない、ＬＥＤテープライトを収納した、斬新で目立つようにした携帯広告具を提供することである。
○本発明が解決しようとする第４課題
本発明が解決しようとする第４課題は、
持ち運びに利便性が高いバッグ形式の携帯広告具であって、ＬＥＤテープライトの陰影を消すようにした、ＬＥＤテープライトを収納した、斬新で目立つようにした携帯広告具を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○広告バッグ１０とは、正面部、背面部、左側面部、右側面部、上面部、底面部からなる手提げ部ｈが付いた宣伝広告用のバッグをいう。
○組箱１５とは、特別な形状に繰り抜き折り曲げて製作された箱である。一般的には糊貼りを伴わないで形成される。
そして、側面が折り返して形成されるので、剛性が大きいことが特徴である。組箱１５（額あり）は、額がある分強度もあるので重ねても潰れないという特徴がある。
○ＬＥＤテープライトＴＬとは、テープ上の基盤にＬＥＤが一定間隔で配置されている照明器具のことをいう。テープの幅は一般には約１ｃｍ程であり、ＬＥＤは、通常の照明器具と違い熱を持ちにくく、省エネにより携帯バッテリーＰＢが軽量化及び電力供給時間の長期化が図れるという特徴がある。色も白の他、赤青黄等色々の色を選択できる。
ＬＥＤテープライトＴＬの電源は、一般のコンピューターの電源と仕様が同じであり、本発明においては、ＬＥＤテープライトＴＬは携帯バッテリーＰＢとＵＳＢケーブルＵＣによって接続されてなる。
ここに、ＵＳＢとは、Ｕｎｉｖｅｒｓａｌ  Ｓｅｒｉａｌ  Ｂｕｓの略であり、シリアル転送方式のインターフェースの規格のことをいう。デジタルカメラとプリンタなどの周辺機器を簡単に接続する。それまでのＳＣＳＩのようにパソコンの電源をいちいち切らずに抜き差しできるのが特徴である（ホットプラグという）。すなわち、接続する周辺機器へパソコンから電源を供給する役割（バスパワー）まで果たしている。
○携帯バッテリーＰＢとは、持ち運びができるバッテリーのことをいい、充電して繰り返し使える充電式リチウムイオンバッテリーを内蔵したタイプと、乾電池を入れ替えて使用する乾電池タイプとがある。
○ＵＳＢケーブルＵＣとは、シリアル転送方式のひとつであるＵＳＢ規格の機器を接続するためのケーブル。電源からの電力も供給できる。デジタルカメラとパソコン、あるいはプリンタを接続するときにも使用されていることが特徴である。  
○ＵＳＢハブとは、ＵＳＢ規格の複数のネットワーク機器を接続する装置をいう。本発明では、複数のＬＥＤテープライトＴＬと携帯バッテリーＰＢとをＵＳＢケーブルＵＣによって並列に接続するための装置をいう。
○並列に接続されてなりとは、複数のＬＥＤテープライトＴＬを平面的に配置するために、複数のＬＥＤテープライトＴＬを並行に並べておき、これら複数のＬＥＤテープライトＴＬがＵＳＢケーブルＵＣとＵＳＢハブとによって携帯バッテリーＰＢと並列に接続されることをいう（図６を参照）。
○広告表示部５とは、広告バッグ１０の正面に設置された、ＬＥＤテープライトＴＬの光による光を透過するシート部をいう。
広告表示部５の広告画像ＫＧを照らすことによって、広告画像ＫＧを表示することを特徴とする携帯広告具１００である。
○広告画像ＫＧとは、宣伝広告するための文字、記号、図形等からなる画像をいう。広告画像ＫＧは、広告表示部５に表示される。ＬＥＤテープライトＴＬの光によって、広告表示部５の広告画像ＫＧを照らすことによって、広告画像ＫＧを表示することができる。
広告画像ＫＧは、広告表示部５に表示される態様として、例えば、広告表示部５に電照フィルムＥＦが貼付されてなり、電照フィルムＥＦに広告画像ＫＧが表示されてなることが例示される。
○ＬＥＤ内照装置２０とは、組箱１５と複数のＬＥＤテープライトＴＬと携帯バッテリーＰＢとＵＳＢケーブルＵＣとから構成される内照式の装置をいう。
ここに、内照式とは、広告画像ＫＧの内側にＬＥＤ照明装置を取り付け内側から光らせる方式をいう。
○携帯広告具１００とは、広告バッグ１０とＬＥＤ内照装置２０から構成される持ち運びができる広告具をいう。
○組箱１５が紙製であることという構成要件により、特に軽量で持ち運ぶ際に人に極力負担がかからないようにするという発明課題を達成することができた。
すなわち、従来の広告具は、重量が重くて持ち運びが困難であったが、特に軽量で持ち運ぶ際に人に極力負担がかからないようにするという発明課題を達成することができた。
○光拡散シートＨＳとは、微小でランダムなレンズアレイの拡散機能により光を拡散整形し、照明ムラを解消し、眩しさや、マルチシャドーの低減にも効果を発揮する光学シートをいう。必要な範囲にだけ光を配光できるので効率的な照明を実現できる。ＲＧＢ各色のＬＥＤ光をきれいでクリアなまま混色できる。
幅広い波長の光（４００ｎｍ〜１１００ｎｍ）に対応しているため、光を狙った角度に均質に透過させることができる。ポリカーボネイトやアクリルのシート上にミクロンサイズのレンズが完全にランダムな状態に配置されている。
そのため、光源の輝度ムラを完全に消し去りつつ、任意の角度に拡散する均質度の高い光を得ることができる。
また、その透過率は大変高いため（８５〜９２％）、光源の光を無駄にすることなく利用することが可能である。
主な用途は高品質な一般照明や産業用光源装置などであるが、その他の照明にも幅広く応用することができる。
○シルバー貼りとは、銀紙を貼ることをいう。
○手提げ部ｈとは、手で持つために広告バッグ１０の上面部に取付けた部分をいう。
＜携帯バッテリーＰＢと複数のＬＥＤテープライトＴＬが接続される模式図の説明＞
以下、図６等を参照すると共に、携帯バッテリーＰＢと複数のＬＥＤテープライトＴＬが接続される模式図について説明をする。
携帯バッテリーＰＢとＵＳＢハブＵＨとは、スイッチＳＷを介してＵＳＢケーブルＵＣによって接続される。ＵＳＢハブＵＨと複数のＬＥＤテープライトＴＬは、ＵＳＢケーブルＵＣによって並列に接続される。
ＵＳＢハブＵＨから分配された複数の、ＵＳＢケーブルＵＣの束は、一般には、組箱１５の上面に設けられた配電口を通って、組箱１５の背面部に上下に並べられた複数のＬＥＤテープライトＴＬと並列に接続される（ただし、これに限定されるものではない。）。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に収納されて、ＬＥＤテープライトＴＬの光によって、広告表示部５の広告画像ＫＧを照らすことによって、広告画像ＫＧを表示することを特徴とする携帯広告具１００である。
ここに、上下とは、図２、図４、図６の紙面視上下方向をいう。
○第２の発明（請求項２に記載の発明）
上記の課題を解決するための第２の発明（請求項２に記載の発明）は、
組箱１５が紙製であることを特徴とする請求項１に記載された携帯広告具１００である。
○第３の発明（請求項３に記載の発明）
上記の課題を解決するための第３の発明（請求項３に記載の発明）は、
広告表示部５に電照フィルムＥＦが貼付されてなり、電照フィルムＥＦに広告画像ＫＧが表示されてなることを特徴とする請求項１〜２の何れかに記載された携帯広告具１００である。
○第４の発明（請求項４に記載の発明）
上記の課題を解決するための第４の発明（請求項４に記載の発明）は、
広告表示部５が光を透過するシート部から構成されることを特徴とする請求項１〜３の何れかに記載された携帯広告具１００である。
○第５の発明（請求項５に記載の発明）
上記の課題を解決するための第５の発明（請求項５に記載の発明）は、
組箱１５の正面に、光拡散シートＨＳを設けてなることを特徴とする請求項１〜４の何れかに記載された携帯広告具１００である。
○第６の発明（請求項６に記載の発明）
組箱１５の内側面にシルバー張りをされてなることを特徴とする請求項１〜５の何れかに記載された携帯広告具１００である。
○第７の発明（請求項７に記載の発明）
広告バッグ１０の上面部に、光漏れ防止カバーｌｃが設置されてなることを特徴とする請求項１〜６の何れかに記載された携帯広告具１００である。
ここに、広告バッグ１０の上面部は、解放したままであると、広告バッグ１０の中から光が漏れるから、これを防ぐために光漏れ防止カバーｌｃが設置されてなる。
【発明の効果】
【０００７】
本発明に係る、携帯広告具１００は、上記のような特徴的構成要件から構成され、特徴的構成要件に応じた、以下のような本願発明特有の効果を奏する。
また、上記の各発明に応じた、上記のような特徴的構成要件から構成された携帯広告具１００によれば、本願発明の課題を十分解消することができた。
○第１の発明の効果
第１の発明によれば、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に収納されて、ＬＥＤテープライトＴＬの光によって、広告表示部５の広告画像ＫＧを照らすことによって、広告画像ＫＧを表示することという特徴的な構成要件により、本発明が解決しようとする第１課題〜第４課題を達成することができ、当業者予測不可能な顕著な効果を奏することができた。
○第２の発明の効果
第２の発明によれば、
組箱１５が紙製であることという特徴的な構成要件により、本発明が解決しようとする第１課題〜第４課題を達成することができ、当業者予測不可能な顕著な効果を奏することができた。
○第３の発明の効果
第３の発明によれば、
広告表示部５に電照フィルムＥＦが貼付されてなり、電照フィルムＥＦに広告画像ＫＧが表示されてなることという特徴的な構成要件により、本発明が解決しようとする第１課題〜第４課題を達成することができ、当業者予測不可能な顕著な効果を奏することができた。
○第４の発明の効果
第４の発明によれば、
広告表示部５が光を透過するシート部から構成されることという特徴的な構成要件により、本発明が解決しようとする第１課題〜第４課題を達成することができ、当業者予測不可能な顕著な効果を奏することができた。
○第５の発明の効果
第５の発明によれば、
ＬＥＤ内照装置２０と正面部１の間に、光拡散シートＨＳを設けてなることという特徴的な構成要件により、本発明が解決しようとする第１課題〜第４課題を達成することができ、当業者予測不可能な顕著な効果を奏することができた。
○第６の発明の効果
第６の発明によれば、
組箱１５の内側面にシルバー張りをされてなることという特徴的な構成要件により、本発明が解決しようとする第１課題〜第４課題を達成することができ、当業者予測不可能な顕著な効果を奏することができた。
○第７の発明の効果
第７の発明によれば、
広告バッグ１０の上面部に、光漏れ防止カバーｌｃが設置されてなることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、携帯広告具１００に関する最良の実施形態について、図面を参照しながら説明する。
［図１］図１（Ａ）図は、本発明に係る携帯広告具１００の斜視図を表す。図１（Ｂ）図は、広告バッグ１０の斜視図を表す。図１（Ｃ）図は、ＬＥＤ内照装置２０の斜視図を表す。図１（Ｂ）図の矢印は、ＬＥＤ内照装置２０を広告バッグ１０に収納することを表している。
［図２］図２（Ａ）図は、本発明に係る携帯広告具１００の正面図を表す。図２（Ｂ）図は、本発明に係る携帯広告具１００の右側面図を表す。携帯広告具１００の左側面図は、本発明に係る携帯広告具１００の右側面と対象に表れるので省略する。図２（Ｃ）図は、ＬＥＤ内照装置２０の正面図を表す。
［図３］図３（Ａ）図は、広告バッグ１０の正面図を表す。図３（Ｂ）図は、広告バッグ１０の右側面図を表す。広告バッグ１０の左側面図は、広告バッグ１０の右側面と対象に表れるので省略する。図３（Ｃ）図は、ＬＥＤ内照装置２０の正面図を表す。ここに、組箱１５の正面に、光拡散シートＨＳを設けてなるＬＥＤ内照装置２０を表している。図３（Ｄ）図は、広告バッグ１０の背面図を表す。
［図４］図４（Ａ）図は、ＬＥＤ内照装置２０の正面図を表す。ここに、組箱１５の正面に、光拡散シートＨＳを設けてないＬＥＤ内照装置２０を表している。図４（Ｂ）図は、ＬＥＤ内照装置２０の右側面図を表す。ＬＥＤ内照装置２０の左側面図は、ＬＥＤ内照装置２０の右側面と対象に表れるので省略する。図４（Ｃ）図は、ＬＥＤ内照装置２０の斜視図を表す。
［図５］図５（Ａ）図は、光拡散シートＨＳの斜視図を表す。ここに、図の矢印は、光拡散シートＨＳが組箱１５の額に貼付される方向を表す。図５（Ｂ）図は、ＬＥＤ内照装置２０を構成する複数のＬＥＤテープライトＴＬと組箱１５（複数数のＬＥＤテープライトＴＬが組箱１５の背面部に上下に並べて設置されている。）の斜視図を表す。
［図６］図６は、携帯バッテリーＰＢと複数のＬＥＤテープライトＴＬが接続される模式図を表す。
以下、本発明に係る、携帯広告具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に収納されて、ＬＥＤテープライトＴＬの光によって、広告表示部５の広告画像ＫＧを照らすことによって、広告画像ＫＧを表示することを特徴とする携帯広告具１００が開示されている。
○第１の発明の効果
第１の発明によれば、
手提げ部ｈが付いた広告バッグ１０並びにＬＥＤ内照装置２０から構成される携帯広告具１００において、
広告バッグ１０の正面に広告画像ＫＧを表示した広告表示部５が設置され、
ＬＥＤ内照装置２０は、組箱１５と複数のＬＥＤテープライトＴＬと携帯バッテリーＰＢとＵＳＢケーブルＵＣとからなり、
複数のＬＥＤテープライトＴＬが組箱１５の背面部に上下に並べて設置され、複数のＬＥＤテープライトＴＬは携帯バッテリーＰＢとＵＳＢケーブルＵＣによって並列に接続されると共に、
ＬＥＤ内照装置２０が広告バッグ１０に収納されて、ＬＥＤテープライトＴＬの光によって、広告表示部５の広告画像ＫＧを照らすことによって、広告画像ＫＧを表示することという特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
背面部２、左側面部３、右側面部４、上面部５、底面部６が紙製であることを特徴とする請求項１に記載された携帯広告具１００が開示されている。
○第２の発明の効果
第２の発明によれば、
組箱１５が紙製であることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告表示部５に電照フィルムＥＦが貼付されてなり、電照フィルムＥＦに広告画像ＫＧが表示されてなることを特徴とする請求項１〜２の何れかに記載された携帯広告具１００が開示されている。
○第３の発明の効果
第３の発明によれば、
広告表示部５に電照フィルムＥＦが貼付されてなり、電照フィルムＥＦに広告画像ＫＧが表示されてなることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告表示部５が光を透過するシート部から構成されることを特徴とする請求項１〜３の何れかに記載された携帯広告具１００が開示されている。
○第４の発明の効果
第４の発明によれば、
広告表示部５が光を透過するシート部から構成されることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
組箱１５の正面に、光拡散シートＨＳを設けてなることを特徴とする請求項１〜４の何れかに記載された携帯広告具１００が開示されている。
○第５の発明の効果
第５の発明によれば、
組箱１５の正面に、光拡散シートＨＳを設けてなることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
組箱１５の内側面にシルバー張りをされてなることを特徴とする請求項１〜５の何れかに記載された携帯広告具１００が開示されている。
○第６の発明の効果
第６の発明によれば、
組箱１５の内側面にシルバー張りをされてなることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯広告具１００において、
広告バッグ１０の上面部に、光漏れ防止カバーｌｃが設置されてなることを特徴とする請求項１〜６の何れかに記載された携帯広告具１００が開示されている。
○第７の発明の効果
第７の発明によれば、
広告バッグ１０の上面部に、光漏れ防止カバーｌｃが設置されてなることという特徴的な構成要件により、本発明が解決しようとする第１課題〜第４課題を達成することができ、当業者予測不可能な顕著な効果を奏することができた。
【図面の簡単な説明】
【０００９】
【図１】図１（Ａ）図は、本発明に係る携帯広告具１００の斜視図を表す。図１（Ｂ）図は、広告バッグ１０の斜視図を表す。図１（Ｃ）図は、ＬＥＤ内照装置２０の斜視図を表す。図１（Ｂ）図の矢印は、ＬＥＤ内照装置２０を広告バッグ１０に収納することを表している。
【図２】図２（Ａ）図は、本発明に係る携帯広告具１００の正面図を表す。図２（Ｂ）図は、本発明に係る携帯広告具１００の右側面図を表す。携帯広告具１００の左側面図は、本発明に係る携帯広告具１００の右側面と対象に表れるので省略する。図２（Ｃ）図は、ＬＥＤ内照装置２０の正面図を表す。
【図３】図３（Ａ）図は、広告バッグ１０の正面図を表す。図３（Ｂ）図は、広告バッグ１０の右側面図を表す。広告バッグ１０の左側面図は、広告バッグ１０の右側面と対象に表れるので省略する。図３（Ｃ）図は、ＬＥＤ内照装置２０の正面図を表す。ここに、組箱１５の正面に、光拡散シートＨＳを設けてなるＬＥＤ内照装置２０を表している。図３（Ｄ）図は、広告バッグ１０の背面図を表す。
【図４】図４（Ａ）図は、ＬＥＤ内照装置２０の正面図を表す。ここに、組箱１５の正面に、光拡散シートＨＳを設けてないＬＥＤ内照装置２０を表している。図４（Ｂ）図は、ＬＥＤ内照装置２０の右側面図を表す。ＬＥＤ内照装置２０の左側面図は、ＬＥＤ内照装置２０の右側面と対象に表れるので省略する。図４（Ｃ）図は、ＬＥＤ内照装置２０の斜視図を表す。
【図５】図５（Ａ）図は、光拡散シートＨＳの斜視図を表す。ここに、図の矢印は、光拡散シートＨＳが組箱１５の額に貼付される方向を表す。図５（Ｂ）図は、ＬＥＤ内照装置２０を構成する複数のＬＥＤテープライトＴＬと組箱１５（複数数のＬＥＤテープライトＴＬが組箱１５の背面部に上下に並べて設置されている。）の斜視図を表す。
【図６】図６は、携帯バッテリーＰＢと複数のＬＥＤテープライトＴＬが接続される模式図を表す。
【符号の説明】
【００１０】
ｈ……手提げ部
１０……広告バッグ
１５……組箱
ＴＬ……ＬＥＤテープライト
ＰＢ……携帯バッテリー
ＵＣ……ＵＳＢケーブル
２０……ＬＥＤ内照装置
１００……携帯広告具
ＫＧ……広告画像
５……広告表示部
ＥＦ……電照フィルム
ＨＳ……光拡散シート
ｌｃ……光漏れ防止カバー